(57)【要約】【課題】複数の人物に提供される情報を、当該複数の人物のいずれかの生体の特徴を表す特徴情報によって認証できるようにする。【解決手段】生体情報取得部３０が、人物の生体の特徴を表す特徴情報を取得する。特徴情報関連付け提供情報生成部３６が、複数の人物に提供される提供情報に当該複数の人物の特徴情報を関連付ける。【選択図】図３
2014081791.tif 000002
【特許請求の範囲】
【請求項１】
人物の生体の特徴を表す特徴情報を取得する特徴情報取得手段と、
複数の人物に提供される提供情報に当該複数の人物の前記特徴情報を関連付ける特徴情報関連付け手段と、
を含むことを特徴とする情報管理システム。
【請求項２】
前記特徴情報関連付け手段は、前記提供情報が表示されている間に前記特徴情報取得手段が取得した特徴情報を、当該提供情報に関連付ける、
ことを特徴とする請求項１に記載の情報管理システム。
【請求項３】
前記特徴情報取得手段は、人物の顔の画像に基づいて生成される顔特徴情報を取得し、
前記特徴情報関連付け手段は、前記提供情報に、当該提供情報が提供される複数の人物の前記顔特徴情報を関連付ける、
ことを特徴とする請求項１又は２に記載の情報管理システム。
【請求項４】
前記特徴情報取得手段は、人物の発する音声に基づいて生成される声紋特徴情報を取得し、
前記特徴情報関連付け手段は、前記提供情報に、当該提供情報が提供される複数の人物の前記声紋特徴情報を関連付ける、
ことを特徴とする請求項１又は２に記載の情報管理システム。
【請求項５】
前記提供情報の提供先候補者の生体の特徴を表す特徴情報と、前記提供情報に関連付けられる前記特徴情報との比較結果に基づいて、前記提供先候補者に当該提供情報を提供するか否かを判断する判断手段、をさらに含む、
ことを特徴とする請求項１から４のいずれか一項に記載の情報管理システム。
【請求項６】
前記判断手段が、前記提供先候補者に前記提供情報を提供することを判断する場合に、当該提供情報を前記提供先候補者に提供する提供手段、をさらに含む、
ことを特徴とする請求項５に記載の情報管理システム。
【請求項７】
前記特徴情報関連付け手段は、前記提供情報に、当該提供情報が提供される複数の人物のいずれかが発する音声から抽出される文字情報、又は、前記提供情報に含まれる文字情報を関連付け、
前記判断手段は、前記提供情報の提供先候補者の生体の特徴を表す特徴情報と、前記提供情報に関連付けられる前記特徴情報との比較結果、及び、提供先候補者が発する音声から抽出される文字情報と前記提供情報に関連付けられる文字情報との比較結果、に基づいて、前記提供先候補者に当該提供情報を提供するか否かを判断する、
ことを特徴とする請求項５又は６に記載の情報管理システム。
【請求項８】
情報管理装置と、情報提供装置と、を含み、
前記情報管理装置は、
人物の生体の特徴を表す特徴情報を取得する特徴情報取得手段と、
複数の人物に提供される提供情報に当該複数の人物の前記特徴情報を関連付ける特徴情報関連付け手段と、を含み、
前記情報提供装置は、
前記提供情報の提供先候補となる人物の生体の特徴を表す特徴情報と、前記提供情報に関連付けられる前記特徴情報との比較結果に基づいて、前記提供先候補者に当該提供情報を提供するか否かを判断する判断手段と、
前記提供先候補者に前記提供情報を提供することを前記判断手段が判断する場合に、当該提供情報を前記提供先候補者に提供する提供手段と、を含む、
ことを特徴とする情報管理システム。
【請求項９】
複数の人物に提供される提供情報に関連付けられている、当該複数の人物の生体の特徴を表す特徴情報と、前記提供情報の提供先候補者の生体の特徴を表す特徴情報と、の比較結果に基づいて、前記提供先候補者に当該提供情報を提供するか否かを判断する判断手段と、
前記提供先候補者に前記提供情報を提供することを前記判断手段が判断する場合に、当該提供情報を前記提供先候補者に提供する提供手段と、
を含むことを特徴とする情報提供装置。
【請求項１０】
人物の生体の特徴を表す特徴情報を取得する特徴情報取得手段、
複数の人物に提供される提供情報に当該複数の人物の前記特徴情報を関連付ける特徴情報関連付け手段、
としてコンピュータを機能させることを特徴とするプログラム。
【請求項１１】
複数の人物に提供される提供情報に関連付けられている、当該複数の人物の生体の特徴を表す特徴情報と、前記提供情報の提供先候補となる人物の生体の特徴を表す特徴情報と、の比較結果に基づいて、前記提供先候補となる人物に当該提供情報を提供するか否かを判断する判断手段、
前記提供先候補となる人物に前記提供情報を提供することを前記判断手段が判断する場合に、当該提供情報を前記提供先候補者に提供する提供手段、
としてコンピュータを機能させることを特徴とするプログラム。
【発明の詳細な説明】
【技術分野】
【０００１】
本発明は、情報管理システム、情報管理装置、情報提供装置及びプログラムに関する。
【背景技術】
【０００２】
個人が作成した情報と個人特有の生体の特徴を表す特徴情報とを関連付けることで、特徴情報から関連付けられた情報が検索され、当該情報を利用することが可能となるというセキュリティが確保された情報管理装置がある。
【先行技術文献】
【特許文献】
【０００３】
【特許文献１】特開２００６−２７７０９７号公報
【発明の概要】
【発明が解決しようとする課題】
【０００４】
本発明の目的の一つは、複数の人物に提供される情報を、当該複数の人物のいずれかの生体の特徴を表す特徴情報によって認証できるようにすることにある。
【課題を解決するための手段】
【０００５】
請求項１に記載の発明は、情報管理システムであって、人物の生体の特徴を表す特徴情報を取得する特徴情報取得手段と、複数の人物に提供される提供情報に当該複数の人物の前記特徴情報を関連付ける特徴情報関連付け手段と、を含むこととしたものである。
【０００６】
請求項２に記載の発明は、請求項１に記載の情報管理システムであって、前記特徴情報関連付け手段は、前記提供情報が表示されている間に前記特徴情報取得手段が取得した特徴情報を、当該提供情報に関連付けることとしたものである。
【０００７】
請求項３に記載の発明は、請求項１又は２に記載の情報管理システムであって、前記特徴情報取得手段は、人物の顔の画像に基づいて生成される顔特徴情報を取得し、前記特徴情報関連付け手段は、前記提供情報に、当該提供情報が提供される複数の人物の前記顔特徴情報を関連付けることとしたものである。
【０００８】
請求項４に記載の発明は、請求項１又は２に記載の情報管理システムであって、前記特徴情報取得手段は、人物の発する音声に基づいて生成される声紋特徴情報を取得し、前記特徴情報関連付け手段は、前記提供情報に、当該提供情報が提供される複数の人物の前記声紋特徴情報を関連付けることとしたものである。
【０００９】
請求項５に記載の発明は、請求項１から請求項４のいずれか一項に記載の情報管理システムであって、前記提供情報の提供先候補者の生体の特徴を表す特徴情報と、前記提供情報に関連付けられる前記特徴情報との比較結果に基づいて、前記提供先候補者に当該提供情報を提供するか否かを判断する判断手段、をさらに含むこととしたものである。
【００１０】
請求項６に記載の発明は、請求項５に記載の情報管理システムであって、前記判断手段が、前記提供先候補者に前記提供情報を提供することを判断する場合に、当該提供情報を前記提供先候補者に提供する提供手段、をさらに含むこととしたものである。
【００１１】
請求項７に記載の発明は、請求項５又は６に記載の情報管理システムであって、前記特徴情報関連付け手段は、前記提供情報に、当該提供情報が提供される複数の人物のいずれかが発する音声から抽出される文字情報、又は、前記提供情報に含まれる文字情報を関連付け、前記判断手段は、前記提供情報の提供先候補者の生体の特徴を表す特徴情報と、前記提供情報に関連付けられる前記特徴情報との比較結果、及び、提供先候補者が発する音声から抽出される文字情報と前記提供情報に関連付けられる文字情報との比較結果、に基づいて、前記提供先候補者に当該提供情報を提供するか否かを判断することとしたものである。
【００１２】
請求項８に記載の発明は、情報管理システムであって、情報管理装置と、情報提供装置と、を含み、前記情報管理装置は、人物の生体の特徴を表す特徴情報を取得する特徴情報取得手段と、複数の人物に提供される提供情報に当該複数の人物の前記特徴情報を関連付ける特徴情報関連付け手段と、を含み、前記情報提供装置は、前記提供情報の提供先候補となる人物の生体の特徴を表す特徴情報と、前記提供情報に関連付けられる前記特徴情報との比較結果に基づいて、前記提供先候補者に当該提供情報を提供するか否かを判断する判断手段と、前記提供先候補者に前記提供情報を提供することを前記判断手段が判断する場合に、当該提供情報を前記提供先候補者に提供する提供手段と、を含むこととしたものである。
【００１３】
請求項９に記載の発明は、情報提供装置であって、複数の人物に提供される提供情報に関連付けられている、当該複数の人物の生体の特徴を表す特徴情報と、前記提供情報の提供先候補者の生体の特徴を表す特徴情報と、の比較結果に基づいて、前記提供先候補者に当該提供情報を提供するか否かを判断する判断手段と、前記提供先候補者に前記提供情報を提供することを前記判断手段が判断する場合に、当該提供情報を前記提供先候補者に提供する提供手段と、を含むこととしたものである。
【００１４】
請求項１０に記載の発明は、プログラムであって、人物の生体の特徴を表す特徴情報を取得する特徴情報取得手段、複数の人物に提供される提供情報に当該複数の人物の前記特徴情報を関連付ける特徴情報関連付け手段、としてコンピュータを機能させることとしたものである。
【００１５】
請求項１１に記載の発明は、プログラムであって、複数の人物に提供される提供情報に関連付けられている、当該複数の人物の生体の特徴を表す特徴情報と、前記提供情報の提供先候補となる人物の生体の特徴を表す特徴情報と、の比較結果に基づいて、前記提供先候補となる人物に当該提供情報を提供するか否かを判断する判断手段、前記提供先候補となる人物に前記提供情報を提供することを前記判断手段が判断する場合に、当該提供情報を前記提供先候補者に提供する提供手段、としてコンピュータを機能させることとしたものである。
【発明の効果】
【００１６】
請求項１、８、９、１０及び１１に記載の発明によれば、複数の人物が関連する情報を、当該複数の人物のいずれかの生体の特徴を表す特徴情報によって認証できることとなる。
【００１７】
請求項２に記載の発明によれば、複数の人物が関連する情報を、当該情報が表示されている間に関連付けられた当該複数の人物のいずれかの生体の特徴を表す特徴情報によって認証できることとなる。
【００１８】
請求項３に記載の発明によれば、複数の人物が関連する情報を、当該複数の人物のいずれかの顔特徴情報によって認証できることとなる。
【００１９】
請求項４に記載の発明によれば、複数の人物が関連する情報を、当該複数の人物のいずれかの声紋特徴情報によって認証できることとなる。
【００２０】
請求項５に記載の発明によれば、複数の人物が関連する情報を、当該複数の人物のいずれかの特徴情報によって認証できることとなる。
【００２１】
請求項６に記載の発明によれば、複数の人物が関連する情報に関連づけられた、当該複数の人物のいずれかの生体の特徴を表す特徴情報によって認証された場合に、当該情報を提供できることとなる。
【００２２】
請求項７に記載の発明によれば、複数の人物が関連する情報を、当該情報に関連する文字情報によって認証できることとなる。
【図面の簡単な説明】
【００２３】
【図１】本発明の一実施形態における情報管理システムの概略の構成の一例を示す図である。
【図２】本発明の一実施形態における情報管理システムが使用されている様子の一例を模式的に示す図である。
【図３】本発明の一実施形態における情報管理システムにより実現される機能の一例を示す機能ブロック図である。
【図４】特徴情報リストの一例を示す図である。
【図５】提供情報リストの一例を示す図である。
【図６】本発明の一実施形態における情報管理装置により行われる処理の流れの一例を示すフロー図である。
【図７】本発明の一実施形態における情報管理装置により行われる処理の流れの一例を示すフロー図である。
【図８】本発明の一実施形態における情報管理装置により行われる処理の流れの一例を示すフロー図である。
【図９】本発明の一実施形態における情報処理装置により行われる処理の流れの一例を示すフロー図である。
【図１０】本発明の一実施形態における情報管理装置により行われる処理の流れの一例を示すフロー図である。
【図１１】本発明の一実施形態における情報管理装置により行われる処理の流れの一例を示すフロー図である。
【図１２】本発明の一実施形態における情報管理装置により行われる処理の流れの一例を示すフロー図である。
【図１３】本発明の一実施形態における情報処理装置により行われる処理の流れの一例を示すフロー図である。
【図１４】本発明の一実施形態における情報管理装置により行われる処理の流れの一例を示すフロー図である。
【発明を実施するための形態】
【００２４】
［第１実施形態］
以下、本発明の第１実施形態について図面に基づき詳細に説明する。
【００２５】
図１は、本発明の第１実施形態における情報管理システム１０の構成の一例を示す図である。図１に示すように、本実施形態における情報管理システム１０は、例えば、情報管理装置１２、情報処理装置１３、印刷装置１４、操作端末１６、プロジェクタ１８、カメラ２０、を含んで構成される。情報管理装置１２、情報処理装置１３、印刷装置１４及び操作端末１６は、ＬＡＮやインターネットなどの通信手段に接続されており、互いに通信されるようになっている。
【００２６】
情報管理装置１２は、情報管理装置１２にインストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、などを含んでいる。これらの要素は、バスを介して接続される。情報管理装置１２の記憶部には、情報管理装置１２の制御部によって実行されるプログラムが記憶される。また、情報管理装置１２の記憶部は、情報管理装置１２のワークメモリとしても動作する。
【００２７】
情報処理装置１３は、情報処理装置１３にインストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、カメラ、などを含んでいる。これらの要素は、バスを介して接続される。情報処理装置１３の記憶部には、情報処理装置１３の制御部によって実行されるプログラムが記憶される。また、情報処理装置１３の記憶部は、情報処理装置１３のワークメモリとしても動作する。
【００２８】
印刷装置１４は、例えば、プリンタ、複合機などの印刷装置であり、印刷装置１４に、インストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、操作部、表示部、画像形成部、デジタルカメラ、マイクロフォンなどを含んでいる。これらの要素は、バスを介して接続される。印刷装置１４の記憶部には、印刷装置１４の制御部によって実行されるプログラムが記憶される。また、印刷装置１４の記憶部は、印刷装置１４のワークメモリとしても動作する。
【００２９】
操作端末１６は、例えば、パーソナルコンピュータ、タブレット端末などのコンピュータであり、操作端末１６にインストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、ディスプレイ、スピーカ、マウス、キーボード、ボタンなどを含んでいる。
【００３０】
プロジェクタ１８は、画像や映像をスクリーンに投影する表示装置である。
【００３１】
カメラ２０は、例えば公知のデジタルカメラであり、撮影した白黒、グレイスケール又はカラーの動画像をインターネットなどの通信手段を介して無線又は有線で情報管理装置１２及び情報処理装置１３に送信する。また、本実施形態におけるカメラ２０は、マイクロフォンも含んでおり、集音した音声を、インターネットなどの通信手段を介して無線又は有線で情報管理装置１２に送信する。本実施形態では、情報処理システム１０には、複数個（例えば、３個）のカメラ２０が含まれている。なお、情報処理装置１３に含まれるカメラも、カメラ２０と同様のカメラである。
【００３２】
図２は、第１実施形態において、情報管理システム１０が使用されている様子の一例を模式的に示す図である。
【００３３】
本実施形態では、会議室２２に集まった複数の参加者２４の間で、スクリーン２６に表示される提供情報を閲覧しながら会議が行われる。本実施形態では、予め、複数の提供情報が、提供情報に対応付けられる情報（例えば、提供情報のＩＤや、提供情報の名称、提供情報が保存されている所在を示す所在情報（例えば、ＵＲＬやパス）など）と関連付けて、情報管理装置１２の記憶部に記憶されていることとする。以下、上述の、提供情報に対応付けられる情報を、対応情報と呼ぶこととする。ここで、会議室２２に設置されている操作端末１６からの指示に応じて、プロジェクタ１８が、提供情報を、スクリーン２６に投影する。このようにして、第１実施形態では、提供情報がスクリーン２６に表示される。そして、カメラ２０は、会議室２２の全体を撮影可能な位置に設置されており、会議が行われている間に会議室２２の内部の様子を撮影する。また、本実施形態では、カメラ２０は、会議室２２の内部で発せられる音声を集音する。会議室２２には、本実施形態では、例えば、３個のカメラ２０が設置されている。そして、会議が行われている間であっても、参加者２４はドア２８から入退出可能となっている。
【００３４】
また、第１実施形態では、情報管理装置１２の記憶部に、予め、スクリーン２６に表示されるべき提供情報が記憶されている。そして、操作端末１６の指示により、情報管理装置１２の記憶部に記憶されている提供情報が、スクリーン２６に表示される。
【００３５】
次に、第１実施形態において情報管理装置１２、情報処理装置１３が実行する機能について説明する。図３は、第１実施形態における情報管理装置１２、情報処理装置１３により実行される主な機能の一例を示す機能ブロック図である。図３に示すように、第１実施形態における情報管理装置１２は、機能的には、例えば、生体情報取得部３０、特徴情報生成部３２、提供情報取得部３４、提供情報リスト生成部３５、特徴情報関連付け提供情報生成部３６を含んで構成されている。これらの機能は、記憶部に記憶されたプログラムを制御部が実行することにより実現されている。このプログラムは、例えば、光ディスク、磁気ディスク、磁気テープ、光磁気ディスク、フラッシュメモリ等のコンピュータ可読な情報記憶媒体を介して、あるいは、インターネットなどの通信手段を介して情報管理装置１２に供給される。
【００３６】
また、第１実施形態における情報処理装置１３は、特徴情報関連付け提供情報取得部４０、提供先候補者生体情報取得部４２、提供先候補者特徴情報生成部４４、特徴情報照合部４６を含んで構成されている。これらの機能は、記憶部に記憶されたプログラムを制御部が実行することにより実現されている。このプログラムは、例えば、光ディスク、磁気ディスク、磁気テープ、光磁気ディスク、フラッシュメモリ等のコンピュータ可読な情報記憶媒体を介して、あるいは、インターネットなどの通信手段を介して情報処理装置１３に供給される。
【００３７】
情報管理装置１２の生体情報取得部３０は、カメラ２０によって撮影される動画像を取得する。第１実施形態では、カメラ２０によって撮影される動画像は、複数の静止画像（フレーム画像）を含んでいる。第１実施形態では、例えば、カメラ２０による撮影は所定時間（例えば１／６０秒）ごとに行われる。すなわち、１秒ごとのフレーム数が所定数（例えば６０）である動画像がカメラ２０によって撮影される。カメラ２０によって撮影された動画像は情報管理装置１２に送信される。そして、情報管理装置１２の生体情報取得部３０は、当該動画像を取得する。カメラ２０は、撮影された動画像に含まれるフレーム画像を、所定時間ごとに情報管理装置１２へ送信するようにしてもよい。あるいは、カメラ２０が、撮影した動画像を記録、蓄積するようにし、情報管理装置１２からの要求に応じて、蓄積された動画像（複数のフレーム画像）をまとめて送信するようにしてもよい。
【００３８】
情報管理装置１２の特徴情報生成部３２は、生体情報取得部３０が取得した動画像（第１実施形態では、例えば、生体情報取得部３０が取得した動画像に含まれるフレーム画像）から、公知の顔認識技術を用いて、参加者２４の顔画像を検知する。特徴情報生成部３２は、例えば、目、鼻や口等の顔の部品を検知し、それらの部品の位置に基づいて顔を検知してもよい。また、特徴情報生成部３２は、例えば、肌色情報を用いて顔を検知してもよい。また、特徴情報生成部３２は、その他の検知方法を用いて、顔を検知するようにしてもよい。そして、特徴情報生成部３２は、検知した顔画像に基づいて、顔特徴情報を生成する。なお、特徴情報生成部３２は、例えば、生体情報取得部３０が取得した動画像（第１実施形態では、例えば、生体情報取得部３０が取得した動画像に含まれるフレーム画像）から参加者２４の虹彩部分を検知するようにしてもよい。そして、特徴情報生成部３２は、検知した虹彩部分に基づいて、顔特徴情報を生成するようにしてもよい。第１実施形態では、特徴情報生成部３２は、会議が行われている間に、会議室２２に存在した参加者２４毎に、参加者２４に対応する顔特徴情報を生成する。
【００３９】
そして、第１実施形態では、情報管理装置１２の特徴情報生成部３２は、会議が行われている間に取得した、参加者２４の顔特徴情報が含まれる図４に例示する顔特徴情報リストを生成して、情報管理装置１２の記憶部に記憶する。図４に示すように、第１実施形態の顔特徴情報リストは、検知された参加者２４毎に付与される、検知された順を示す識別番号と、検知された参加者２４の顔画像に基づいて生成した顔特徴情報と、を対応付けて管理される。
【００４０】
情報管理装置１２の提供情報取得部３４は、プロジェクタ１８がスクリーン２６に投影する提供情報（スクリーン２６に表示される提供情報）を検出して、検出された提供情報に関連付けて記憶されている対応情報を、情報管理装置１２の記憶部から取得する。
【００４１】
情報管理装置１２の提供情報リスト生成部３５は、会議が行われている間に取得した、対応情報が含まれる図５に例示する提供情報リストを生成して、情報管理装置１２の記憶部に記憶する。図５に示すように、第１実施形態の提供情報リストは、提供情報毎に、提供情報のファイル名と、提供情報の保存先の所在を示す所在情報と、を対応付けて管理される。
【００４２】
情報管理装置１２の特徴情報関連付け提供情報生成部３６は、提供情報リストで管理されている提供情報の保存先から提供情報を取得し、当該提供情報に、特徴情報生成部３２が生成した顔特徴情報リストを関連付けることで顔特徴情報リスト関連付け提供情報を生成する。そして、当該特徴情報リスト関連付け提供情報は、元の保存先に記憶される。
【００４３】
情報処理装置１３の特徴情報取得部４０は、情報管理装置１２の記憶部から通信部を介して、印刷装置１４にて印刷出力するべき提供情報に関連付けされている特徴情報を取得する。
【００４４】
情報処理装置１３の提供先候補者生体情報取得部４２は、情報処理装置１３に備えられているカメラによって撮影される静止画像を取得する。当該カメラは、情報処理装置１３を操作する提供先候補者を撮影可能な位置に設置されている。第１実施形態では、当該カメラが、情報処理装置１３を操作して提供情報を印刷出力するべき印刷指示を入力した提供先候補者の静止画像を撮影する。なお、提供先候補者生体情報取得部４２は、情報処理装置１３に印刷指示が入力された時点でカメラが撮影した静止画像を取得することとする。
【００４５】
情報処理装置１３の提供先候補者特徴情報生成部４４は、提供先候補者生体情報取得部４２が取得した静止画像から、公知の顔認識技術を用いて、提供先候補者の顔画像を検知する。提供先候補者特徴情報生成部４４は、例えば、目、鼻や口等の顔の部品を検知し、それらの部品の位置に基づいて顔を検知してもよい。また、提供先候補者特徴情報生成部４２は、例えば、肌色情報を用いて顔を検知してもよい。また、提供先候補者特徴情報生成部４２は、その他の検知方法を用いて、顔を検知するようにしてもよい。そして、提供先候補者特徴情報生成部４４は、検知した顔画像に基づいて、提供先候補者特徴情報を生成する。なお、提供先候補者特徴情報生成部４４は、例えば、提供先候補者生体情報取得部４２が取得した静止画像から提供先候補者の虹彩部分を検知するようにしてもよい。そして提供先候補者特徴情報生成部４４は、検知した虹彩部分に基づいて、提供先候補者特徴情報を生成するようにしてもよい。
【００４６】
情報処理装置１３の特徴情報照合部４６は、特徴情報取得部４０が取得した提供情報に関連付けられている特徴情報リストと、提供先候補者特徴情報生成部４４が生成した情報処理装置１３を操作して提供情報を印刷出力するべき印刷指示を入力した提供先候補者の特徴情報と、を照合する。
【００４７】
印刷出力部４８は、特徴情報照合部４６が照合した結果に基づいて、情報管理装置１２の記憶部から提供情報を印刷出力する。
【００４８】
ここで、第１実施形態における情報管理装置１２により実行される、特徴情報リスト生成処理及び提供情報リスト生成処理の流れの一例を説明する。
【００４９】
まず、特徴情報リスト生成処理の流れの一例を図６のフロー図を参照しながら説明する。
【００５０】
まず、情報管理装置１２が、例えば、会議室２２内の操作端末１６の電源が投入されるなど、会議の開始を受け付けると（Ｓ１０１）、カメラ２０が、会議室内の動画像の撮影を開始する。そして、撮影された動画像に含まれるフレーム画像が、所定時間ごとに情報管理装置１２へ送信される。情報管理装置１２は、当該所定時間ごとに受信するフレーム画像に基づいて図６の処理Ｓ１０２〜処理Ｓ１０７に示す処理を実行する。
【００５１】
まず、生体情報取得部３０が、フレーム画像から参加者２４の顔画像を取得する（Ｓ１０２）。そして、特徴情報生成部３２が、取得した顔画像から特徴情報（本実施形態では、特徴情報として顔特徴情報を用いる）を生成する（Ｓ１０３）。
【００５２】
特徴情報生成部３２は、処理Ｓ１０３にて特徴情報が生成されると、情報管理装置１２の記憶部に当該会議に対応する特徴情報リストが記憶されているか否かを判断する（Ｓ１０４）。
【００５３】
特徴情報リストが無いと判断された場合は、特徴情報リストが作成され（Ｓ１０５）、情報管理装置１２の記憶部に記憶される。
【００５４】
続いて、特徴情報生成部３２は、処理Ｓ１０３にて生成した特徴情報が、特徴情報リスト内に存在するか否かを判断する（Ｓ１０６）。
【００５５】
存在しないと判断された場合は、処理Ｓ１０３にて生成した特徴情報が特徴情報リストに追加される（Ｓ１０７）。そして、情報管理装置１２が、会議の終了を受け付けたか否か（例えば、操作端末１６の電源が切られたか否か）を判断する（Ｓ１０８）。受け付けていない場合は、情報処理装置１２は、処理Ｓ１０２以降を再度実行する。このようにして、本処理例では、会議の終了を受け付けるまで、Ｓ１０２〜Ｓ１０７に示す処理が繰り返し実行される。
【００５６】
そして、処理Ｓ１０８で会議の終了を受け付けると、情報管理装置１２は、特徴情報リスト生成処理を終了する。
【００５７】
次に、提供情報リスト生成処理の流れの一例を図７のフロー図を参照しながら説明する。
【００５８】
まず、情報管理装置１２が、例えば、会議室２２内の操作端末１６の電源が投入されるなど、会議の開始を受け付けると（Ｓ２０１）、提供情報取得部３４は、情報管理装置１２の記憶部からスクリーン２６に表示した提供情報に対応する対応情報を取得する（Ｓ２０２）。
【００５９】
そして、提供情報リスト生成部３５は、提供情報取得部３４が対応情報を取得すると、情報管理装置１２の記憶部に当該会議に対応する対応情報リストが記憶されているか否かを判断する（Ｓ２０３）。
【００６０】
対応情報リストが無いと判断された場合は、提供情報リスト生成部３５が、提供情報リストを作成し（Ｓ２０４）、情報管理装置１２の記憶部に記憶する。
【００６１】
続いて、提供情報リスト生成部３５は、処理Ｓ２０２にて、提供情報取得部３４が取得した対応情報が、提供情報リスト内に存在するか否かを判断する（Ｓ２０５）。
【００６２】
存在しないと判断された場合は、提供情報リスト生成部３５は、提供情報取得部３４が取得した対応情報を提供情報リストに追加する（Ｓ２０６）。そして、情報管理装置１２が、会議の終了を受け付けたか否か（例えば、操作端末の電源が切られたか否か）を判断する（Ｓ２０７）。受け付けていない場合は、情報処理装置１２は、処理Ｓ２０２以降を再度実行する。このようにして、本処理例では、会議の終了を受け付けるまで、Ｓ２０２〜Ｓ２０６に示す処理が繰り返し実行される。
【００６３】
そして、処理Ｓ２０７で会議の終了を受け付けると、情報管理装置１２は、提供情報リスト生成処理を終了する。
【００６４】
次に、情報管理装置１２の特徴情報関連付け提供情報生成部３６により実行される特徴情報関連付け提供情報生成処理の流れの一例を図８のフロー図を参照しながら説明する。
【００６５】
まず、情報管理装置１２が会議の終了を受け付けると、特徴情報関連付け提供情報生成部３６は、情報管理装置１２の記憶部から、特徴情報生成部３２が生成した特徴情報リストを取得し（Ｓ３０１）、提供情報取得部３４が生成した提供情報リストを取得する（Ｓ３０２）。
【００６６】
そして、処理Ｓ２０４〜Ｓ２０６にて、提供情報リスト生成部３５が生成した提供情報リスト内の対応情報に対応づけされている提供情報保存先から提供情報を読み込み（Ｓ３０３）、当該提供情報に、処理Ｓ１０４〜Ｓ１０７にて特徴情報生成部３２が生成した特徴情報リストを関連付ける（Ｓ３０４）。
【００６７】
特徴情報関連付け提供情報生成部３６は、具体的には、例えば、提供情報に特徴情報リストを埋め込み、特徴情報リストと提供情報と、からなる暗号化した新規のフォーマットのファイルとして特徴情報関連付け提供情報を生成する。この場合は、提供情報に特徴情報リストを埋め込むことで増大する提供情報のサイズを低減するために、特徴情報リストに対して圧縮処理を行った上で提供情報に関連付けることとしてもよい。
【００６８】
そして、情報管理装置１２が、提供情報リスト内の対応情報に対応する提供情報全てに、特徴情報リストを関連付けしたか否かを判断する（Ｓ３０５）。全て関連付けしていない場合は、情報管理装置１２は、処理Ｓ３０３以降を再度実行する。このようにして、提供情報リスト内に存在する対応情報に対応する提供情報全てに特徴情報リストを関連付けするまで処理Ｓ３０３〜処理Ｓ３０５に示す処理が繰り返し実行される。
【００６９】
そして、処理Ｓ３０５で提供情報リスト全てに特徴情報リストの関連付け処理が完了したと判断されると、特徴情報関連付け提供情報生成処理を終了する。
【００７０】
次に、第１実施形態における情報処理装置１３が実行する提供先候補者生体情報取得処理から特徴情報照合処理までの流れの一例を図９のフロー図を参照しながら説明する。
【００７１】
まず、提供先候補者が情報処理装置１３を操作して、情報管理装置１２の記憶部に記憶されている特徴情報関連付け提供情報を印刷出力するべき印刷指示を入力すると、情報処理装置１３の特徴情報取得部４０は、情報管理装置１２の記憶部に記憶されている提供情報から当該提供情報に関連付けられている特徴情報リストを取得する（Ｓ４０１）。そして、情報処理装置１３の提供先候補者生体情報取得部４２は、提供先候補者の特徴情報を取得する。続いて、提供先候補者特徴情報生成部４４は、提供先候補者生体情報取得部４２が取得した提供先候補者の特徴情報に基づいて提供先候補者特徴情報を生成する（Ｓ４０２）。ここで、特徴情報の生成処理は、情報管理装置１２の生体情報取得部３０及び特徴情報生成部３２が実行する処理と同じであるから、この説明については重複するためここでは省略する。
【００７２】
次に、情報処理装置１３の特徴情報照合部４６は、処理Ｓ４０２にて提供先候補者特徴情報生成部４４が生成した特徴情報リストと、処理Ｓ４０１にて特徴情報取得部４０が取得した特徴情報と、を照合する（Ｓ４０３）。そして、相違度が予め定められている閾値以下となる特徴情報が特徴情報リストに存在するか否かを判断する（Ｓ４０４）。
【００７３】
具体的には、特徴情報照合部４６は、提供先候補者の特徴情報と、図４に示す特徴情報リストに含まれるそれぞれの特徴情報と、の照合を行う。ここで、特徴情報に含まれる各要素と、提供先候補者の特徴情報に含まれる各要素と、が一致するか否かを照合する。そして、一致しない要素の数が予め定められた数以下となる場合に、当該提供先候補者の顔特徴情報が顔特徴情報リストに存在すると判断する。
【００７４】
そして、提供先候補者の特徴情報が特徴情報リストに存在しないと判断された場合は、情報処理装置１３が、印刷出力が不可である旨のエラー通知を表示する（Ｓ４０５）。そして、存在すると判断された場合は、印刷装置１４が、情報処理装置１３からの印刷指示を受け付けて、当該提供情報を印刷出力する（Ｓ４０６）。
【００７５】
[第２実施形態]
上記の第１実施形態では、会議が行われている間に取得した、参加者２４の特徴情報と提供情報とを関連付けているが、第２実施形態では、さらに、提供情報が表示されている間に取得した参加者２４から発せられる音声から、音声認識処理により抽出した単語を文字特徴情報として当該提供情報に関連づけることとする。そして、情報処理装置１３の特徴情報照合部４６は、特徴情報に加えて、前記文字特徴情報を用いて照合を行うこととする。そうすることで、会議を途中参加、途中退出した人が、会議参加中にスクリーン２６に表示された提供情報以外を印刷出力できないようにする。
【００７６】
第２実施形態では、情報管理装置１２の生体情報取得部３０は、カメラ２０に備えられているマイクロフォンによって集音する音声を取得する。そして、カメラ２０によって集音された音声は情報管理装置１２に送信される。情報管理装置１２の生体情報取得部３０は、当該音声を取得する。カメラ２０は、取得した音声を、リアルタイムで情報管理装置１２へ送信するようにしてもよい。あるいは、カメラ２０が、取得した音声を記録、蓄積するようにし、情報管理装置１２からの要求に応じて、蓄積された音声を送信するようにしてもよい。
【００７７】
そして、第２実施形態では、情報管理装置１２の特徴情報生成部３２は、生体情報取得部３０が取得した音声から、公知の音声認識処理を用いて単語を抽出し、当該単語を文字特徴情報とする。
【００７８】
ここで、第２実施形態における情報管理装置１２により実行される、文字特徴情報リスト生成処理及び提供情報リスト生成処理の流れの一例を説明する。
【００７９】
まず、文字特徴情報リスト生成処理の流れの一例を図１０のフロー図を参照しながら説明する。
【００８０】
まず、情報管理装置１２が、例えば、会議室２２内の操作端末１６の電源が投入されるなど、会議の開始を受け付けると（Ｓ５０１）、カメラ２０に備えられているマイクロフォンが、会議室２２内の音声の集音を開始する。そして、集音した音声が、所定時間ごとに情報管理装置１２へ送信される。情報管理装置１２は、当該所定時間ごとに受信する音声に基づいて図１０の処理Ｓ５０２〜処理Ｓ５０７に示す処理を実行する。
【００８１】
まず、生体情報取得部３０は、カメラ２０から、会議室２２の中にいる参加者２４の発する発言音声と当該発言音声が発せられた時刻を示す発言時刻とを取得する（Ｓ５０２）。次に、特徴情報生成部３２は、生体情報取得部３０が取得した参加者２４の発言音声から、文字特徴情報（ここでは、特徴情報として文字特徴情報を用いる）を生成する（Ｓ５０３）。ここで、特徴情報生成部３２は、生体情報取得部３０が取得した参加者２４の発言音声から、公知の音声認識処理を用いて抽出した単語を文字特徴情報として生成する。そして、文字特徴情報が取得されると、情報管理装置１２の記憶部に当該会議に対応する文字特徴情報リストが記憶されているか否かを判断する（Ｓ５０４）。
【００８２】
文字特徴情報リストが存在しないと判断された場合は、文字特徴情報リストを作成する（Ｓ５０５）。
【００８３】
続いて、処理Ｓ５０３にて特徴情報生成部３２が生成した文字特徴情報が、文字特徴情報リスト内に存在するか否かを判断する（Ｓ５０６）。
【００８４】
存在しないと判断された場合は、文字特徴情報を、当該特徴情報が発言音声として発せられた時刻を示す発言時刻とともに、文字特徴情報リストに追加する（Ｓ５０７）。そして、情報管理装置１２が、会議の終了を受け付けたか否か（例えば、操作端末１６の電源が切られたか否か）を判断する（Ｓ５０８）。受け付けていない場合は、情報処理装置１２は、処理Ｓ５０２以降を再度実行する。このようにして、本処理例では、会議の終了を受け付けるまで、Ｓ５０２〜Ｓ５０７に示す処理が繰り返し実行される。
【００８５】
そして、処理Ｓ５０８で会議の終了を受け付けると、情報管理装置１２は、文字特徴情報リスト生成処理を終了する。
【００８６】
ここで、文字特徴情報リストは、図４に示した顔特徴情報リストと同様のものであり、特徴情報生成部３２が生成した単語毎に付与される生成した順を示す識別番号と、生成した単語と、当該単語が発せられた発言時刻と、を対応付けて管理される。
【００８７】
そして、第１実施形態の生体情報取得部３０及び特徴情報生成部３２が実行する処理と同様の処理を実行して、顔特徴情報リストも生成される。
【００８８】
次に、提供情報リスト生成処理の流れの一例を図１１のフロー図を参照しながら説明する。
【００８９】
まず、情報管理装置１２が、例えば、会議室２２内の操作端末１６の電源が投入されるなど、会議の開始を受け付けると（Ｓ６０１）、提供情報取得部３４は、情報管理装置１２の記憶部からスクリーン２６に表示した提供情報に対応する対応情報を、当該提供情報がスクリーン２６に表示開始された時刻を示す表示開始時刻とともに取得する（Ｓ６０２）。
【００９０】
そして、提供情報リスト生成部３５は、提供情報取得部３４が対応情報を取得すると、情報管理装置１２の記憶部に当該会議に対応する提供情報リストが記憶されているか否かを判断する（Ｓ６０３）。
【００９１】
提供情報リストが無いと判断された場合は、提供情報リスト生成部３５が、提供情報リストを作成し（Ｓ６０４）、情報管理装置１２の記憶部に記憶する。
【００９２】
続いて、提供情報リスト生成部３５は、処理Ｓ６０２にて、提供情報取得部３４が取得した対応情報が、提供情報リスト内に存在するか否かを判断する（Ｓ６０５）。
【００９３】
存在しないと判断された場合は、提供情報リスト生成部３５は、対応情報を、当該対応情報に対応する提供情報がスクリーン２６に表示された表示開始時刻とともに提供情報リストに追加する（Ｓ６０６）。そして、情報管理装置１２が、会議の終了を受け付けたか否か（例えば、操作端末１６の電源が切られたか否か）を判断する（Ｓ６０７）。受け付けていない場合は、情報処理装置１２は、処理Ｓ６０２以降を再度実行する。このようにして、本処理例では、会議の終了を受け付けるまで、Ｓ６０２〜Ｓ６０６に示す処理が繰り返し実行される。
【００９４】
そして、処理Ｓ６０７で会議の終了を受け付けると、情報管理装置１２は、提供情報リスト生成処理を終了する。
【００９５】
ここで、提供情報リストは、提供情報毎に、提供情報のファイル名と、提供情報の保存先の所在を示す所在情報と、提供情報がスクリーン２６に表示開始された時刻を示す表示開始時刻とを対応付けて管理される。
【００９６】
次に、情報管理装置１２の特徴情報関連付け提供情報生成部３６により実行される特徴情報関連付け提供情報生成処理の流れの一例を図１２のフロー図を参照しながら説明する。
【００９７】
まず、情報管理装置１２が会議の終了を受け付けると、特徴情報関連付け提供情報生成部３６は、情報管理装置１２の記憶部から、特徴情報生成部３２が生成した特徴情報リストを取得し（Ｓ７０１）、提供情報リスト生成部３５が生成した提供情報リストを取得し（Ｓ７０２）、特徴情報生成部３２が生成した文字特徴情報リストを取得する（Ｓ７０３）。
【００９８】
そして、特徴情報関連付け提供情報生成部３６が、提供情報リストで管理されている表示開始時刻と、文字特徴情報リストで管理されている発言時刻と、に基づいて提供情報リストと文字特徴情報リストとを関連付ける（Ｓ７０４）。つまり、提供情報リスト内の１つの対応情報に対応する表示開始時刻から、次の対応情報に対応する表示開始時刻の間の時間に含まれる発言時刻に対応する文字特徴情報を、当該１つの対応情報に関連付ける。例えば、提供情報リストは、提供情報毎に、提供情報のファイル名と、提供情報の保存先の所在を示す所在情報と、表示開始時刻と、関連する文字特徴情報の識別番号と、を対応付けて管理されることとする。
【００９９】
そして、特徴情報関連付け提供情報生成部３６は、情報処理Ｓ６０４〜Ｓ６０６にて、提供情報リスト生成部３５が生成した提供情報リスト内の提供情報保存先から、提供情報を読み込む（Ｓ７０５）。次に、特徴情報関連付け提供情報生成部３６は、処理Ｓ７０５にて読み込んだ提供情報に対応づけられている文字特徴情報リストの識別番号に基づいて、文字特徴情報リストから当該識別番号に対応する文字特徴情報を読み込む（Ｓ７０６）。そして、提供情報関連付け提供情報生成部３６が、処理Ｓ７０５にて読み込んだ提供情報に、処理Ｓ７０１にて取得した特徴情報リストと、処理Ｓ７０６にて読み込んだ文字特徴情報と、を関連付ける（Ｓ７０７）。
【０１００】
特徴情報関連付け提供情報生成部３６は、具体的には、例えば、提供情報に特徴情報リストと文字特徴情報とを埋め込み、特徴情報リスト、文字特徴情報及び提供情報からなる暗号化した新規のフォーマットのファイルとして特徴情報関連付け提供情報を生成する。この場合は、提供情報に特徴情報リストを埋め込むことで増大する提供情報のサイズを低減するために、特徴情報リスト及び文字特徴情報に対して圧縮処理を行った上で提供情報に関連付けることとしてもよい。
【０１０１】
そして、特徴情報関連付け提供情報生成部３６が、提供情報リスト内の対応情報に対応する提供情報全てに、特徴情報リストを関連付けしたか否かを判断する（Ｓ７０８）。全て関連付けしていない場合は、情報管理装置１２は、処理Ｓ７０５以降を再度実行する。このようにして、提供情報リスト内に存在する対応情報に対応する提供情報全てに特徴情報リストを関連付けするまで処理Ｓ７０５〜処理Ｓ７０７に示す処理が繰り返し実行される。
【０１０２】
そして、特徴情報関連付け提供情報生成部３６は、処理Ｓ７０８で提供情報リスト全てに特徴情報リストの関連付け処理が完了したと判断されると、特徴情報関連付け提供情報生成処理を終了する。
【０１０３】
次に、第２実施形態における情報処理装置１３が実行する提供先候補者生体情報取得処理から特徴情報照合処理までの流れの一例を図１３のフロー図を参照しながら説明する。
【０１０４】
まず、処理Ｓ８０１から処理Ｓ８０５までは図９のフロー図の処理Ｓ４０１から処理Ｓ４０５までに行われる処理と同じであるから、この説明については重複するためここでは省略する。
【０１０５】
そして、処理Ｓ８０４にて相違度が予め定められている閾値以下となる特徴情報が特徴情報リストに存在すると判断された場合は、提供先候補者生体情報取得部４２は、情報処理装置１３を操作して情報管理装置１２の記憶部に記憶されている特徴情報関連付け提供情報を印刷出力するべき印刷指示を入力した提供先候補者の発する発言音声を取得する（Ｓ８０６）。ここで、処理Ｓ８０４にて相違度が予め定められている閾値以下となる特徴情報が特徴情報リストに存在すると判断された場合に、印刷出力しようとする提供情報に関連する単語を発するように提供先候補者へ指示を出力することとしてもよい。
【０１０６】
次に、情報処理装置１３の提供先候補者特徴情報生成部４４は、提供先候補者生体情報取得部４２が取得した提供先候補者の発する発言音声から、公知の音声認識処理を用いて単語を抽出し、当該単語を提供先候補者文字特徴情報とする（Ｓ８０７）。そして、特徴情報照合部４６は、情報管理装置１２の記憶部から、特徴情報関連付け提供情報生成部３６が提供情報に関連付けした文字特徴情報を読み込む（Ｓ８０８）。
【０１０７】
そして、特徴情報照合部４６は、提供先候補者文字特徴情報と、処理Ｓ８０８にて読み込んだ文字特徴情報と、の照合を行い（Ｓ８０９）、提供先候補者文字特徴情報と一致する文字特徴情報が存在するか否かを判断する（Ｓ８１０）。
【０１０８】
存在しないと判断された場合は、情報処理装置１３が、印刷出力が不可である旨のエラー通知を表示する（Ｓ８１１）。そして、存在すると判断された場合は、印刷装置１４が、情報処理装置１３からの印刷指示を受け付けて、当該提供情報を印刷出力する（Ｓ８１２）。
【０１０９】
[第３実施形態]
上記の第２実施形態では、特徴情報関連付け提供情報生成部３６は、参加者２４から発せられる音声を抽出して文字特徴情報として当該提供情報に関連づけているが、第３実施形態では、提供情報に含まれる文字から単語を抽出し文字特徴情報として当該提供情報に関連づけることとする。そして、情報処理装置１３の特徴情報照合部４６は、前記文字特徴情報も用いて照合を行うこととする。そうすることで、会議を途中参加、途中退出した人が、会議参加中にスクリーン２６に表示された提供情報以外を印刷出力できないようにする。
【０１１０】
第３実施形態における、文字特徴情報リスト生成処理の流れの一例を図１４のフロー図を参照しながら説明する。
【０１１１】
まず、処理Ｓ９０１から処理Ｓ９０６までは、図７の処理Ｓ２０１から処理Ｓ２０６までで行われる処理と同じであるから、この説明については重複するためここでは省略する。
【０１１２】
そして、処理Ｓ９０６にて提供情報リストに追加された対応情報に含まれる提供情報保存先から提供情報を読み込み、当該提供情報に含まれる文字から単語を抽出して文字特徴情報リストとして生成する（Ｓ９０７）。ここで、抽出する単語は、会議の開始前に予め提供情報に記載されていた情報でもよいし、会議が行われている間に追記された情報であってもよい。そして、情報管理装置１２が、会議の終了を受け付けたか否か（例えば、操作端末の電源が切られたか否か）を判断する（Ｓ９０８）。受け付けていない場合は、情報処理装置１２は、処理Ｓ９０２以降を再度実行する。このようにして、本処理例では、会議の終了を受け付けるまで、処理Ｓ９０２〜Ｓ９０７に示す処理が繰り返し実行される。
【０１１３】
そして、処理Ｓ９０７で会議の終了を受け付ける（Ｓ９０８）と、情報管理装置１２は、文字特徴情報リスト生成処理を終了する。
【０１１４】
そして、特徴情報リストと文字特徴情報リストとを提供情報に関連付けは、図１２のフロー図に示す処理と同じであるから、この説明については重複するためここでは省略する。さらに、第３実施形態における、情報処理装置１３により実行される提供先候補者生体情報取得から特徴情報照合処理までの流れも図１３のフロー図に示す処理と同じであるから、この説明については重複するためここでは省略する。
【０１１５】
なお、本発明は上述の実施形態に限定されるものではない。
【０１１６】
第１実施形態における特徴情報を顔特徴情報としていたが、上述の例に限定されない。例えば、第２実施形態の生体情報取得部３０の説明で記載したマイクロフォンによって集音した音声から参加者２４の声紋特徴情報を生成して特徴情報としてもよい。
【０１１７】
この場合は、情報管理装置１２の特徴情報生成部３２は、生体情報取得部３０から取得した音声から参加者２４の発する発言音声を抽出する。そして、特徴情報生成部３２は、例えば、取得した音声をＡ／Ｄ変換し、音声の時間的推移、音声の周波数及び音声の強度などを抽出することによって、取得した音声に対応付けられる声紋情報を生成する。特徴情報生成部３２は、会議が行われている間に、会議室２２内で発言した参加者２４毎に、参加者２４に対応付けられる声紋情報を生成する。そして、特徴情報生成部３２は、会議が行われている間に、会議室２２内で発言した参加者２４毎に、参加者２４に対応する声紋特徴情報を生成する。
【０１１８】
特徴情報生成部３２は、会議が行われている間に取得した、参加者２４の声紋情報が含まれる声紋情報リストを生成し、情報管理装置１２の記憶部に記憶する。この場合、声紋情報リストは、図４に示した顔特徴情報リストと同様のものであり、検知された参加者２４毎に付与される、検知された順を示す識別番号と、当該参加者２４に対応付けられる声紋特徴情報と、を対応付けて管理される。
【０１１９】
情報処理装置１３の提供先候補者生体情報取得部４２は、情報処理装置１３に備えられているカメラに含まれるマイクロフォンによって集音する音声を取得する。ここで、マイクロフォンは上述のカメラ２０に備えられているマイクロフォンと同様のものである。情報処理装置１３の提供先候補者生体情報取得部４２は、当該マイクロフォンが、情報処理装置１３を操作して提供情報を印刷出力するべき印刷指示を入力した提供先候補者の発する発言音声を取得する。なお。提供先候補者生体情報取得部４２は、情報処理装置１３に印刷指示が入力された時点でマイクロフォンが集音した音声を取得することとする。
【０１２０】
情報処理装置１３の提供先候補者特徴情報生成部４４は、提供先候補者生体情報取得部４２が取得した音声から提供先候補者の発する発言音声を抽出する。そして、提供先候補者特徴情報生成部４４は、例えば、取得した音声をＡ／Ｄ変換し、音声の時間的推移、音声の周波数及び音声の強度などを抽出することによって、取得した音声に対応付けられる声紋情報を生成する。そして、情報処理装置１３を操作して提供情報を印刷出力するべき印刷指示を入力した提供先候補者に対応する声紋情報を生成する。
【０１２１】
特徴情報照合部４６は、図９のフロー図と同様の処理を実行する。
【０１２２】
また、第２実施形態において、生体情報取得部３０は、参加者２４の発する音声を、当該音声が発せられた時刻を示す発言時刻とともに取得しているが、顔画像を当該顔画像が取得された時刻を示す取得時刻とともに取得してもよい。その場合、特徴情報関連付け提供情報生成部３６は、提供情報リスト内の１つの対応情報に対応する表示開始時刻から、次の対応情報に対応する表示開始時刻の間の時間に含まれる取得時刻に対応する特徴情報を、当該１つの対応情報に関連付ける。例えば、提供情報リストは、提供情報毎に、提供情報のファイル名と、提供情報の保存先の所在を示す所在情報と、表示開始時刻と、関連する特徴情報の識別番号と、を対応付けて管理されることとする。
【０１２３】
また、図２に示す情報管理システム１０が使用されている様子の一例において、カメラを、さらに、会議室２２の周辺に設置してもよい（以下、周辺カメラとする）。この場合、周辺カメラは、会議の有無にかかわらず、常に会議室２０の周辺を撮影していることとする。第２実施形態において、生体情報取得部３０は、さらに、会議が行われている時間帯に周辺カメラによって撮影される動画像を取得する。そして、特徴情報生成部３２は、生体情報取得部３０が取得した周辺カメラによって撮影された動画像に基づいて、特徴情報リストを生成する。また、第２実施形態で記載したように、特徴情報生成部３２は、カメラ２０によって撮影される動画像に基づいて特徴情報を生成し、また、カメラ２０に備えられているマイクロフォンによって集音される音声に基づいて文字特徴情報を生成する。そして、特徴情報関連付け提供情報生成部３６は、第２実施形態で記載した処理に加えて、周辺カメラによって撮影される動画像に基づいて生成された特徴情報リストも提供情報に関連付ける。そして、情報処理装置１３の特徴照合部４６は、カメラ２０によって撮影された動画像に基づいて生成した特徴情報と、周辺カメラによって撮影された動画像に基づいて生成した特徴情報と、文字特徴情報と、で照合を行うこととする。そうすることで、会議が行われている時間帯に会議室２２の周辺にいた人物であるとともに、提供情報がスクリーン２６に表示されている間に会議に参加していた人物であることを認証できるため、認証精度が向上する。
【０１２４】
また、第２実施形態において、情報処理装置１３の特徴情報照合部４６が、提供先候補者特徴情報と提供情報に関連付けられている特徴情報とを照合した後に、提供先候補者文字特徴情報と提供情報に関連付けられている文字特徴情報とを照合しているが、このような例に限定されるものではない。例えば、提供先候補者特徴情報と提供情報に関連付けられている特徴情報とを照合する処理を除いて、提供先候補者文字特徴情報と提供情報に関連付けられている文字特徴情報とを照合する処理だけとしてもよい。または、上述の２つの処理を並行して実行し、２つの処理で照合が成功する場合、またはいずれかの処理で照合が成功する場合に、提供情報を印刷出力することとしてもよい。
【０１２５】
また、情報管理装置１２の生体情報取得部３０は、カメラ２０に内蔵されていてもよい。この場合は、カメラ２０が取得した生体情報に基づいて特徴情報を生成し、情報管理装置１２へ送信することとなる。そして、情報管理装置１２が、取得した特徴情報に基づいて特徴情報リストを生成することとなる。
【０１２６】
また、情報管理装置１２と情報処理装置１３との役割分担は、上述の例に限定されない。例えば、情報管理装置１２が、取得した提供先候補者生体情報から提供先候補者特徴情報を生成して、特徴情報を照合してもよい。また、情報管理装置１２と情報処理装置１３とが別体の装置である例について示したが、これらは一体の装置であってもよい。さらに、情報処理装置１３と印刷装置１４が一体の装置であってもよい。
【０１２７】
また、情報管理装置１２は、会議室２２の外部、例えばサーバとして設置されていてもよい。また、カメラ２０とマイクロフォンが一体の装置である例について示したが、これらは別体の装置であってもよい。つまり、会議室２２内にカメラ２０とは別に個別のマイクロフォンを設置してもよい。また、プロジェクタ１８の代わりに、液晶やＣＲＴを用いたディスプレイ装置を用いるようにしてもよい。なお、提供情報は、情報管理装置１２の記憶部に記憶される例について示したが、操作端末１６の記憶部に記憶されていてもよい。この場合は、提供情報取得部３４は、スクリーン２６に表示された提供情報に対応付けられる対応情報を、操作端末１６の記憶部から取得する。
【符号の説明】
【０１２８】
１０  情報管理システム、１２  情報管理装置、１３  情報処理装置、１４  印刷装置、１６  操作端末、１８  プロジェクタ、２０  カメラ、２２  会議室、２４  参加者、２６  プロジェクタ、２８  ドア、３０  生体情報取得部、３２  特徴情報生成部、３４  提供情報取得部、３５  提供情報リスト生成部、３６  特徴情報関連付け提供情報生成部、４０  特徴情報取得部、４２  提供先候補者生体情報取得部、４４  提供先候補者特徴情報生成部、４６  特徴情報照合部、４８  印刷出力部。
【図１】
2014081791.tif 000003
【図２】
2014081791.tif 000004
【図３】
2014081791.tif 000005
【図４】
2014081791.tif 000006
【図５】
2014081791.tif 000007
【図６】
2014081791.tif 000008
【図７】
2014081791.tif 000009
【図８】
2014081791.tif 000010
【図９】
2014081791.tif 000011
【図１０】
2014081791.tif 000012
【図１１】
2014081791.tif 000013
【図１２】
2014081791.tif 000014
【図１３】
2014081791.tif 000015
【図１４】
2014081791.tif 000016